【手続補正書】
【提出日】平成23年6月6日(2011.6.6)
【手続補正１】
【補正対象書類名】特許請求の範囲
【補正対象項目名】全文
【補正方法】変更
【補正の内容】
【特許請求の範囲】
【請求項１】
ハードカバー製品であって、
外側ライナーと、
選択されたサイズに予めカットされ、ハードカバー製品の背の間隙を規定するように間隔を空けて配置され、ハードカバー製品の対向するおもてカバー及び裏カバーを規定し、それぞれの主たる面が、前記外側ライナーの主たる面に付けられる一対のカバーボードと、
前記ハードなカバーボードの対向する平坦面に対して積層するように付けられた内側ライナーと、
ハードカバー製品の内部に協働的に支持される内部本体と
を具備し、
前記カバーボードの少なくとも一方は、
厚さを超える長さ及び幅を持つ、対向する平坦面を有する一対の対向するシートであって、該対向する一対のシートのうちの第１のシートは、その平坦面上の選択された部分に設置領域を規定するものと、
前記設置領域上に設置され、これに付けられた薄膜セキュリティ装置であって、前記シートの厚さの小部分(minority)以下の厚さを有するものとを具備し、
前記一対の対向するシートは、その間に前記薄膜セキュリティ装置を、これが隠れるように挟み、前記ハードなカバーボードの一方の対向する辺は、その内部に前記薄膜セキュリティ装置が存在することを表面的に示さないように実質的に平行であり、それによって、前記カバーボードの１つの中に封入され積層されるセキュリティ装置の存在が日常的な表出から隠され、該セキュリティ装置は積層後、ハードカバー製品の製造中及びハードカバー製品の意図する通常の使用中に安全、確実に前記カバーボードの１つの中に保持され、
それによって前記対向するカバーボードは、ハードカバー製品の背の間隙の対向する辺により規定される線に沿って折りたたみ式に共に移動する、ハードカバー製品の中に前記内部本体を含めるためのおもてカバーと裏カバーを規定する、ハードカバー製品。
【請求項２】
前記外側ライナーは、前記一対のシートのうちの一方の前記設置領域と整列された部分上に表示される、コード化表示を規定する請求項１記載のハードカバー製品。
【請求項３】
セキュリティ装置が、電子応答装置を含むシートである請求項１記載のハードカバー製品。
【請求項４】
内部本体が、コンパクトディスクを収容するように構成された請求項１記載のハードカバー製品。
【請求項５】
前記内部本体は、側端部に沿って互いに結合された複数の頁を具備して書籍を規定する請求項１記載のハードカバー製品。
【請求項６】
前記内部本体は、シートを収容するためのリング部材を具備する請求項１記載のハードカバー製品。
【請求項７】
前記セキュリティ装置がRFID装置である請求項１記載のハードカバー製品。
【請求項８】
前記ハードなカバーボードがチップボードである請求項１記載のハードカバー製品。
【請求項９】
前記ハードなカバーボードがボール紙である請求項１記載のハードカバー製品。
【請求項１０】
前記ハードなカバーボードが繊維板である請求項１記載のハードカバー製品。
【請求項１１】
ハードカバー製品であって、
外側ライナーと、
選択されたサイズに予めカットされ、ハードカバー製品の背の間隙を規定するように間隔を空けて配置され、ハードカバー製品の対向するおもてカバー及び裏カバーを規定し、それぞれの主たる面が、前記外側ライナーの主たる面に付けられる一対のカバーボードと、
前記ハードなカバーボードの対向する平坦面に対して積層するように付けられた内側ライナーと、
前記背の間隙に受容される背部材と、
ハードカバー製品の内部に協働的に支持される内部本体と
を具備し、
前記カバーボードの少なくとも一方は、
厚さを超える長さ及び幅を持つ、対向する平坦面を有する一対の対向するシートであって、該対向する一対のシートのうちの第１のシートは、その平坦面上の選択された部分に設置領域を規定するものと、
前記設置領域上に設置され、これに付けられた薄膜セキュリティ装置であって、前記シートの厚さの小部分(minority)以下の厚さを有するものとを具備し、
前記内側ライナーは、カバーボードのそれぞれの第２の主たる面に、これに積層するようにつけられ、該内側ライナー及び前記カバーボードの１つが互いに積層されて、その中に前記薄膜セキュリティ装置を、これが隠れるように挟み、それによって、前記カバーボードの１つの中に封入され積層されるセキュリティ装置の存在が日常的な表出から隠され、該セキュリティ装置は積層後、ハードカバー製品の製造中及びハードカバー製品の意図する通常の使用中に安全、確実に前記カバーボードの１つの中に保持され、
それによって前記対向するカバーボードは、ハードカバー製品の背の間隙の対向する辺により規定される線に沿って折りたたみ式に共に移動するおもてカバーと裏カバーを規定する、ハードカバー製品。
【請求項１２】
前記外側ライナーは、前記一対のシートのうちの一方の前記設置領域と整列された部分上に表示される、コード化表示を規定する請求項１１記載のハードカバー製品。
【請求項１３】
セキュリティ装置が、電子応答装置を含むシートである請求項１１記載のハードカバー製品。
【請求項１４】
内部本体がコンパクトディスクを収容するように構成された請求項１１記載のハードカバー製品。
【請求項１５】
前記内部本体は、側端部に沿って互いに結合された複数の頁を具備して書籍を規定する請求項１１記載のハードカバー製品。
【請求項１６】
前記内部本体は、シートを収容するためのリング部材を具備する請求項１１記載のハードカバー製品。
【請求項１７】
前記セキュリティ・タグがRFID装置である請求項１１記載のハードカバー製品。
【請求項１８】
前記カバーボードがチップボードである請求項１１記載のハードカバー製品。
【請求項１９】
前記カバーボードがボール紙である請求項１１記載のハードカバー製品。
【請求項２０】
前記カバーボードが繊維板である請求項１１記載のハードカバー製品。
【請求項２１】
ハードカバー製品であって、
外側ライナーと、
選択されたサイズに予めカットされ、ハードカバー製品の背を受容する間隙を規定するように間隔を空けて配置され、ハードカバー製品の対向するおもてカバー及び裏カバーを規定し、それぞれの主たる面が、前記外側ライナーの主たる面に付けられる一対のチップボードカバーボードと、
前記チップボードカバーボードの第２の主たる面に対して積層するように付けられ、前記カバーボードに積層される内側ライナーと、
ハードカバー製品の内部に協働的に支持される内部本体と
を具備し、
前記カバーボードの少なくとも１つは、
厚さを超える長さ及び幅を持つ、対向する平坦面を有する一対の対向するシートであって、該対向する一対のシートのうちの第１のシートは、その平坦面上の選択された部分に設置領域を規定するものと、
前記設置領域上に設置され、これに付けられた薄膜セキュリティ装置であって、前記シートの厚さの小部分(minority)以下の厚さを有するものとを具備し、
前記外側ライナーと、チップボードカバーボードの１つとが積層されてその間に前記薄膜セキュリティ装置を、これが隠れるように挟み、それによって、前記カバーボードの１つの中に封入され積層されるセキュリティ装置の存在が日常的な表出から隠され、該セキュリティ装置は積層後、ハードカバー製品の製造中及びハードカバー製品の意図する通常の使用中に安全、確実に前記カバーボードの１つの中に保持され、
それによって前記対向するチップボードカバーボードは、ハードカバー製品の背の間隙の対向する辺により規定される線に沿って折りたたみ式に共に移動する、ハードカバー製品の中に前記内部本体を含めるためのおもてカバーと裏カバーを規定する、ハードカバー製品。
【請求項２２】
前記外側ライナーは、前記チップボードカバーボードのうちの一方の前記設置領域と整列された部分上に表示される、コード化表示を規定する請求項２１記載のハードカバー製品。
【請求項２３】
セキュリティ装置が、電子応答装置を含むシートである請求項２１記載のハードカバー製品。
【請求項２４】
ディスクを収容するように構成された内部本体をさらに具備する請求項２１記載のハードカバー製品。
【請求項２５】
前記内部本体は、側端部に沿って互いに結合された複数の頁を具備して書籍を規定する請求項２１記載のハードカバー製品。
【請求項２６】
前記内部本体は、シートを収容するためのリング部材を具備する請求項２１記載のハードカバー製品。
【請求項２７】
前記セキュリティ装置がRFID装置である請求項２１記載のハードカバー製品。
【請求項２８】
前記設置領域が凹部を具備する請求項１記載のハードカバー製品。
【請求項２９】
前記設置領域がデボス加工部を具備する請求項１記載のハードカバー製品。
【請求項３０】
前記設置領域が凹部を具備する請求項１１記載のハードカバー製品。
【請求項３１】
前記設置領域がデボス加工部を具備する請求項１１記載のハードカバー製品。
【請求項３２】
前記設置領域が凹部を具備する請求項２１記載のハードカバー製品。
【請求項３３】
前記設置領域がデボス加工部を具備する請求項２１記載のハードカバー製品。